(57)【要約】      （修正有）【課題】装置全体の薄型化および小型化が可能なチャック装置を提供する。【解決手段】ケース体２の貫通孔２３から把持爪４ａ，４ｂ，４ｃの先端側を内側に突出させる。把持爪４ａ，４ｂ，４ｃのボス部４４をチャック本体３の湾曲した円弧状の摺動溝３３ａ，３３ｂ，３３ｃに移動可能に嵌合させる。把持爪４ａ，４ｂ，４ｃの本体部４１を上蓋材２１の嵌合溝に嵌合させ径方向に移動可能とする。チャック本体３の摺動溝３３ａ，３３ｂ，３３ｃの回転により、把持爪４ａ，４ｂ，４ｃのボス部４４の嵌合位置が変化する。各ボス部４４が摺動溝３３ａ，３３ｂ，３３ｃに押され、把持爪４ａ，４ｂ，４ｃの突出距離が変化する。【選択図】図１
0003170039.tif 000002
【実用新案登録請求の範囲】
【請求項１】
ケース体と、
このケース体に周方向に回転可能に取り付けられた略円環状のチャック本体と、
このチャック本体の軸心周りに、このチャック本体の内周面より中心側に向けて少なくとも一部を突出させて径方向に移動可能に取り付けられた複数の把持爪と、を備え、
前記チャック本体は、このチャック本体の外周側から内周側に向けて周方向に傾斜した摺動溝を有し、
前記把持爪は、前記摺動溝に嵌合され、この摺動溝に沿って移動可能に取り付けられている
ことを特徴としたチャック装置。
【請求項２】
チャック本体は、複数の摺動溝を有し、
これら摺動溝は、前記チャック本体の周方向に離間されて設けられている
ことを特徴とした請求項１記載のチャック装置。
【請求項３】
摺動溝は、チャック本体の外周側から内周側に進むに連れて、このチャック本体の周方向に湾曲した略円弧状に形成されている
ことを特徴とした請求項１または２記載のチャック装置。
【請求項４】
摺動溝は、チャック本体の外周側から内周側に向けて徐々に曲率が変化した略円弧状に形成されている
ことを特徴とした請求項１ないし３のいずれかに記載のチャック装置。
【請求項５】
チャック本体の摺動溝は、このチャック本体と同心状の螺旋状に形成されている
ことを特徴とした請求項１記載のチャック装置。
【請求項６】
チャック本体の外周面には、ギア面が形成され、
ケース体には、前記チャック本体を周方向に回転させる略円盤状の操作ギアが取り付けられ、
この操作ギアは、前記チャック本体のギア面に係合可能なギア面が外周面に設けられ、このギア面を、前記チャック本体のギア面に係合させて回転可能に取り付けられている
ことを特徴とした請求項１ないし５のいずれかに記載のチャック装置。
【請求項７】
ケース体は、チャック本体の外周面の少なくとも一部を露出させる開口部を有し、
前記チャック本体は、このチャック本体の外周面であって、前記ケース体の開口部にて露出された位置に、このチャック本体を周方向に回転操作させるための操作部が設けられている
ことを特徴とした請求項１ないし５のいずれかに記載のチャック装置。
【請求項８】
ケース体は、チャック本体の径方向に沿って前記ケース体の外側に貫通して設けられた複数の嵌合溝を有し、
把持爪は、前記嵌合溝に嵌合され前記チャック本体の径方向に移動可能とされている
ことを特徴とした請求項１ないし７のいずれかに記載のチャック装置。
【考案の詳細な説明】
【技術分野】
【０００１】
本考案は、チャック本体の軸心周りに複数の把持爪が径方向に移動可能に取り付けられたチャック装置に関する。
【背景技術】
【０００２】
従来、この種のチャック装置としては、例えば下記特許文献１に記載の構成のスクロールチャックが知られている。具体的に、このチャック装置は、チャック本体の底面部に渦巻き状のスクロール歯が形成されている。そして、このチャック本体を周方向に回転させることによって、このチャック本体のスクロール歯に嵌合された下爪のラック歯によって、このチャック本体に取り付けられた複数の各把持爪が径方向に連動して移動する構成とされている。
【先行技術文献】
【特許文献】
【０００３】
【特許文献１】特開２００６−１５９３５５号公報
【考案の概要】
【考案が解決しようとする課題】
【０００４】
しかしながら、上記特許文献１にかかる従来技術によれば、チャック本体の底面部のスクロール歯を介して各把持爪を移動させる構成とされている。このため、これら把持爪をチャック本体の上面から突出させる等して取り付けなければならない。したがって、これら把持爪を含んだチャック装置全体の高さ寸法をある程度確保しなければならず、装置全体としての薄型化が容易ではないという問題を有している。
【０００５】
そこで本考案は、従来技術における上記問題を解決し、装置全体の薄型化が可能なチャック装置を提供することを目的とする。
【課題を解決するための手段】
【０００６】
この課題を解決するため、請求項１にかかる本考案は、ケース体と、このケース体に周方向に回転可能に取り付けられた略円環状のチャック本体と、このチャック本体の軸心周りに、このチャック本体の内周面より中心側に向けて少なくとも一部を突出させて径方向に移動可能に取り付けられた複数の把持爪と、を備え、前記チャック本体は、このチャック本体の外周側から内周側に向けて周方向に傾斜した摺動溝を有し、前記把持爪は、前記摺動溝に嵌合され、この摺動溝に沿って移動可能に取り付けられている、ことを特徴とする、チャック装置である。
【０００７】
請求項２は、請求項１のチャック装置において、チャック本体は、複数の摺動溝を有し、これら摺動溝は、前記チャック本体の周方向に離間されて設けられている、ことを特徴とする。
【０００８】
請求項３は、請求項１または２のチャック装置において、摺動溝は、チャック本体の外周側から内周側に進むに連れて、このチャック本体の周方向に湾曲した略円弧状に形成されている、ことを特徴とする。
【０００９】
請求項４は、請求項１ないし３のいずれかのチャック装置において、摺動溝は、チャック本体の外周側から内周側に向けて徐々に曲率が変化した略円弧状に形成されている、ことを特徴とする。
【００１０】
請求項５は、請求項１のチャック装置において、チャック本体の摺動溝は、このチャック本体と同心状の螺旋状に形成されている、ことを特徴とする。
【００１１】
請求項６は、請求項１ないし５のいずれかのチャック装置において、チャック本体の外周面には、ギア面が形成され、ケース体には、前記チャック本体を周方向に回転させる略円盤状の操作ギアが取り付けられ、この操作ギアは、前記チャック本体のギア面に係合可能なギア面が外周面に設けられ、このギア面を、前記チャック本体のギア面に係合させて回転可能に取り付けられている、ことを特徴とする。
【００１２】
請求項７は、請求項１ないし５のいずれかのチャック装置において、ケース体は、チャック本体の外周面の少なくとも一部を露出させる開口部を有し、前記チャック本体は、このチャック本体の外周面であって、前記ケース体の開口部にて露出された位置に、このチャック本体を周方向に回転操作させるための操作部が設けられている、ことを特徴とする。
【００１３】
請求項８は、請求項１ないし７のいずれかのチャック装置において、ケース体は、チャック本体の径方向に沿って前記ケース体の外側に貫通して設けられた複数の嵌合溝を有し、把持爪は、前記嵌合溝に嵌合され前記チャック本体の径方向に移動可能とされている、ことを特徴とする。
【考案の効果】
【００１４】
本考案によれば、チャック本体の外周側から内周側に向けて周方向に傾斜した摺動溝に把持爪を嵌合させつつ、これら把持爪の少なくとも一部をチャック本体の内周面より中心側に突出させて径方向に移動可能とした。この結果、チャック本体の回転動作により、チャック本体の各摺動溝によって各把持爪が径方向に押されて、これら把持爪が径方向に移動し、チャック本体の内周面からの各把持爪の突出距離が変化する。特に、これら把持爪の少なくとも一部をチャック本体の内周面より中心側に突出させて、径方向に移動可能にチャック本体の軸心周りに各把持爪が取り付けられている。このため、チャック本体の上下方向に突出させることなく、各把持爪をチャック本体に取り付けることができるから、装置全体の薄型化が可能となる。
【００１５】
さらに、チャック本体の周方向に離間させた複数の摺動溝をチャック本体に設けたことにより、個々の摺動溝で把持爪を移動させることができるから、これら把持爪の移動をより確実かつ正確にできる。
【００１６】
また、チャック本体の外周側から内周側に進むに連れて、このチャック本体の周方向に湾曲した略円弧状に摺動溝を形成したことにより、チャック本体の回転動作によって、各把持爪をより円滑かつ精度良く径方向に移動させることができる。
【００１７】
さらに、チャック本体の外周側から内周側に向けて徐々に曲率が変化した略円弧状に摺動溝を形成することにより、チャック本体を回転動作させた際に、このチャック本体の回転距離に比例または反比例させて、各把持爪を径方向に移動させることができる。よって、これら各把持爪のより精度良い調整が可能となる。
【００１８】
そして、チャック本体の摺動溝を、このチャック本体と同心状の螺旋状に形成することにより、この摺動溝をより長くすることが容易にできる。よって、各把持爪の移動距離をより大きく確保することができるから、チャック装置の用途をより多様化できる。
【００１９】
また、操作ギアを回転操作することによって、この操作ギアのギア面と係合したギア面を有するチャック本体が周方向に回転する。このため、チャック本体の回転操作をより容易に行うことができる。同時に、操作ギアをチャック本体に沿わせて取り付けることによって、操作ギアをケース体の上下方向に突出させずに取り付けることができる。よって、装置全体の薄型化が可能となる。
【００２０】
さらにまた、チャック本体の外周面に設けられた操作部がケース体の開口部にて露出されている。このため、この開口部を介して操作部を操作でき、このチャック本体を周方向に回転操作できるから、チャック本体をより簡単な構成で正確に回転操作することができる。
【００２１】
そして、チャック本体の径方向に沿ってケース体の外側に貫通した複数の嵌合溝をケース体に設け、これら嵌合溝に把持爪を嵌合させてチャック本体の径方向に移動可能とさせた。この結果、これら把持爪がケース体の外側から突出する位置までに亘って、これら把持爪を移動させることが可能となる。よって、これら把持爪の移動距離をより大きく確保できるから、チャック装置の用途をより多様化できる。
【図面の簡単な説明】
【００２２】
【図１】本考案の第１の実施の形態のチャック装置を示す説明平面図である。
【図２】上記チャック装置のケース体を示す説明平面図である。
【図３】上記チャック装置のチャック本体および操作ギアを示す説明平面図である。
【図４】本考案の第２の実施の形態のチャック装置を示す説明平面図である。
【図５】上記チャック装置のケース体を示す説明平面図である。
【図６】上記チャック装置のチャック本体を示す説明平面図である。
【図７】本考案の第３の実施の形態のチャック装置を示す説明平面図である。
【図８】上記チャック装置のケース体を示す説明平面図である。
【図９】上記チャック装置のチャック本体および操作ギアを示す説明平面図である。
【考案を実施するための形態】
【００２３】
本考案の第１の実施の形態のチャック装置について図１ないし図３を参照して説明する。
【００２４】
＜全体構成＞
このチャック装置１は、図１に示すように、把持対象物（図示せず）の円形状または角柱状の外周面や内周面をクランプして芯出しするための保持具である。具体的に、このチャック装置１は、平面視略正方形状のケース体２と、このケース体２に回転可能に取り付けられる略円環状のチャック本体３と、このチャック本体３の軸心周りに取り付けられる複数、例えば３つの把持爪４ａ，４ｂ，４ｃとを備えている。すなわち、このチャック装置１は、ケース体２に対してチャック本体３を周方向に移動させることにより、このチャック本体３の移動距離に応じ、各把持爪４ａ，４ｂ，４ｃが連動してチャック本体３の径方向に移動するように構成されている。
【００２５】
また、このチャック装置１は、例えばステンレスや、ＳＵＳ４４０Ｃ等の金属にて構成されている。さらに、このチャック装置１は、耐久性および精度向上の観点から、所定の熱処理が施され、例えばロックウェル硬度：５８［ＨＲＣ］程度の強度に調整されて強化されている。なお、このチャック装置１は、必要に応じ、表面をメッキ加工等することも可能である。
【００２６】
＜ケース体＞
ケース体２は、一対の上蓋材２１と下蓋材２２とで構成されている。これら上蓋材２１および下蓋材２２それぞれの中心部には、これら上蓋材２１および下蓋材２２の厚さ方向に貫通した貫通孔２３が設けられている。この貫通孔２３は、上蓋材２１および下蓋材２２を嵌合させた状態で、同心状に連通するように設けられている。そして、上蓋材２１の内側には、図２に示すように、各把持爪４ａ，４ｂ，４ｃを貫通孔２３の径方向に移動可能にさせるための複数、例えば３本の嵌合溝２５ａ，２５ｂ，２５ｃが形成されている。これら嵌合溝２５ａ，２５ｂ，２５ｃは、各把持爪４ａ，４ｂ，４ｃの幅寸法より若干大きな幅寸法に形成されており、貫通孔２３に連通する側である内側としての先端側が開口されて設けられている。さらに、これら嵌合溝２５ａ，２５ｂ，２５ｃは、基端側が閉塞されており、把持爪４ａ，４ｂ，４ｃの基端側への移動を規制する。
【００２７】
また、上蓋材２１の内周面には、各嵌合溝２５ａ，２５ｂ，２５ｃの間を覆うように、平面視凹弧状の内周片部２６ａ，２６ｂ，２６ｃが一体的に設けられている。これら内周片部２６ａ，２６ｂ，２６ｃは、上蓋材２１に下蓋材２２を嵌合させた際に、これら上蓋材２１と下蓋材２２との間の隙間を閉塞するものであって、これら上蓋材２１と下蓋材２２との間において貫通孔２３の内周に沿って設けられている。
【００２８】
一方、下蓋材２２の上蓋材２１に嵌合される側の内側面には、チャック本体３を周方向に回転可能に嵌合させるための平面視略円形状の嵌合凹部２７が設けられている。この嵌合凹部２７は、下蓋材２２の貫通孔２３の同心状に設けられており、チャック本体３の外径寸法より若干大きな内径寸法に形成されている。また、この嵌合凹部２７に隣接する下蓋材２２の内側面には、平面視略円形状の取付凹部２８が設けられている。この取付凹部２８には、外周面にギア面５１が形成された略円盤状の歯車である操作ギア５が周方向に回転可能に嵌合される。この操作ギア５は、取付凹部２８に収容された状態で回転操作することにより、嵌合凹部２７に収容されたチャック本体３を周方向に回転させる。ここで、操作ギア５の中心部には、平面視六角形状の操作部５２が形成されている。そして、この操作部５２には、いわゆる六角レンチ等の操作具（図示せず）が嵌合され、この操作具にて回転操作させる。
【００２９】
さらに、上蓋材２１には、操作ギア５の操作部５２を露出させる開口部としての操作孔２９が設けられている。この操作孔２９は、下蓋材２２に上蓋材２１を嵌合させて取り付けた状態で、この下蓋材２２の取付凹部２８に取り付けられた操作ギア５の操作部５２の軸方向の一端側を露出させる位置に設けられている。
【００３０】
＜チャック本体＞
チャック本体３は、貫通孔２３の内径寸法に等しい内径寸法を有する略円環状に形成された把持爪操作用回転体であって、ケース体２の上蓋材２１と下蓋材２２との間に周方向に回転可能に取り付けられている。そして、このチャック本体３の中心位置には、貫通孔２３の内径寸法より小さく、内周片部２６ａ，２６ｂ，２６ｃの外径寸法より若干大きな内径寸法の開口部３１が設けられている。また、チャック本体３の外周面には、ギア面３２が形成されて歯車とされている。このギア面３２は、操作ギア５のギア面５１に噛み合わされて係合されて取り付けられており、この操作ギア５の周方向への回転によって、チャック本体３が逆方向に回転するように設けられている。
【００３１】
さらに、チャック本体３には、このチャック本体３の外周側から内周側に進むに連れて、このチャック本体３の周方向に湾曲して傾斜した略円弧状の長孔である摺動溝３３ａ，３３ｂ，３３ｃが形成されている。これら摺動溝３３ａ，３３ｂ，３３ｃは、チャック本体３の外周側から内周側に向けて徐々に曲率が変化、すなわち大きくなる略円弧状に形成されている。また、これら摺動溝３３ａ，３３ｂ，３３ｃは、把持爪４ａ，４ｂ，４ｃの個数に対応させて計３つほど設けられており、これら各摺動溝３３ａ，３３ｂ，３３ｃのそれぞれが同一形状に形成されている。また、各摺動溝３３ａ，３３ｂ，３３ｃは、チャック本体３の周方向に向けて等間隔に離間された位置に設けられている。さらに、これら摺動溝３３ａ，３３ｂ，３３ｃは、チャック本体３の中心を基準とした約４５°の角度に亘って設けられている。
【００３２】
具体的に、各摺動溝３３ａ，３３ｂ，３３ｃは、チャック本体３の外周縁より若干内側の位置から、このチャック本体３の内周縁より若干内側の位置までに亘って設けられている。また、摺動溝３３ａ，３３ｂ，３３ｃは、チャック本体３の外周側から内周側に進むに連れて、このチャック本体３の周方向、例えば、図１における反時計回り、すなわち正面視左周り方向へ傾斜されて設けられている。さらに、摺動溝３３ａ，３３ｂ，３３ｃは、チャック本体３の外周側に位置する基端側から先端側に亘って等しい幅寸法に形成されている。
【００３３】
＜把持爪＞
把持爪４ａ，４ｂ，４ｃは、図１に示すように、互いに等しい同一形状に形成されたチャック爪である。これら各把持爪４ａ，４ｂ，４ｃは、ケース体２の嵌合溝２５ａ，２５ｂ，２５ｃの幅寸法より若干小さな幅寸法を有する略矩形平板状の本体部４１を有している。これら本体部４１の先端側には、先端側に進むに連れて幅狭となる平面視二等辺三角形状のチャック部４２が一体的に設けられている。このチャック部４２は、本体部４１の厚さ寸法とチャック本体３の厚さ寸法と加えた厚さ寸法に形成されている。
【００３４】
ここで、このチャック部４２は、このチャック部４２の表面が本体部４１と面一に形成されており、これらチャック部４２の裏面側が本体部４１の裏面より突出した形状に形成されている。また、このチャック部４２は、ケース体２の上蓋材２１と下蓋材２２との間に挟持されて取り付けられた状態で、これら上蓋材２１および下蓋材２２の貫通孔２３の内周面より内側に突出させて取り付けられる。さらに、このチャック部４２の先端部には、平面視凹弧状の把持面４３が形成されており、これら把持面４３にて、把持対象物の外周面または内周面を把持（クランプ）して芯出しさせる。
【００３５】
さらに、各把持爪４ａ，４ｂ，４ｃの本体部４１の裏面には、円柱状のボス部４４が一体的に設けられている。これらボス部４４は、本体部４１の裏面から垂直に突設されており、チャック本体３の摺動溝３３ａ，３３ｂ，３３ｃの幅寸法より若干小さな外径寸法に形成されている。すなわち、これらボス部４４は、各把持爪を４ａ，４ｂ，４ｃケース体２の嵌合溝２５ａ，２５ｂ，２５ｃに嵌合させ、このケース体２に挟持させた状態で、チャック本体３の摺動溝３３ａ，３３ｂ，３３ｃに嵌合され、この摺動溝３３ａ，３３ｂ，３３ｃに沿って移動可能に取り付けられる。また、これらボス部４４は、本体部４１の裏面の幅方向の中央位置であるとともに、この本体部４１の裏面の長手方向の基端側寄りの中間位置に設けられている。
【００３６】
そして、これら把持爪４ａ，４ｂ，４ｃのそれぞれは、チャック本体３の開口部３１より中心側に向けて、これら把持爪４ａ，４ｂ，４ｃのチャック部４２の少なくとも一部を突出させた状態で、このチャック本体３の径方向に沿って移動可能とされて、ケース体２の上蓋材２１と下蓋材２２との間に挟持されて取り付けられている。
【００３７】
次に、上記第１の実施の形態のチャック装置１の作用について説明する。
【００３８】
＜組み立て動作＞
まず、チャック本体３を下蓋材２２の嵌合凹部２７に回転可能に嵌合させるとともに、このチャック本体３のギア面３２に操作ギア５のギア面５１を噛み合わせつつ、この操作ギア５を下蓋材２２の取付凹部２８に回転可能に嵌合させる。
【００３９】
次いで、各把持爪４ａ，４ｂ，４ｃのチャック部４２のそれぞれの先端側をチャック本体３の中心側に向ける。この状態で、これら把持爪４ａ，４ｂ，４ｃのチャック部４２の先端側を下蓋材２２の貫通孔２３より内側に突出させた状態とし、これら各把持爪４ａ，４ｂ，４ｃそれぞれのボス部４４をチャック本体３の各摺動溝３３ａ，３３ｂ，３３ｃに嵌合させる。
【００４０】
この後、各把持爪４ａ，４ｂ，４ｃの本体部４１を上蓋材２１の嵌合溝２５ａ，２５ｂ，２５ｃに摺動可能に嵌合させつつ、これら上蓋材２１および下蓋材２２の貫通孔２３を連通させた状態とする。そして、これら上蓋材２１および下蓋材２２を互いにねじ止め等して固定させてケース体２としチャック装置１が形成される。
【００４１】
＜使用動作＞
例えば、把持対象物の一端部をチャック装置１の貫通孔２３のほぼ中心に位置させた状態とする。この状態で、ケース体２の上蓋材２１の操作孔２９にて露出された操作ギア５の操作部５２に六角レンチの一端を嵌合させ、この六角レンチを操作して操作ギア５を、図１の正面視右回りに回転させる。
【００４２】
すると、この操作ギア５の回転に伴い、この操作ギア５のギア面５１に噛み合っているギア面３２を介してチャック本体３が、図１の正面視左回りに回転する。このとき、このチャック本体３の回転に応じて各摺動溝３３ａ，３３ｂ，３３ｃが周方向に回転することにより、この摺動溝３３ａ，３３ｂ，３３ｃでの各把持爪４ａ，４ｂ，４ｃのボス部４４の嵌合位置が中心軸方向に変化していく。
【００４３】
この結果、各把持爪４ａ，４ｂ，４ｃは、チャック本体３の各摺動溝３３ａ，３３ｂ，３３ｃの回転によって、上蓋材２１の嵌合溝２５ａ，２５ｂ，２５ｃにて案内されながらチャック本体３の中心軸方向に連動して移動していく。よって、これら各把持爪４ａ，４ｂ，４ｃのチャック部４２のケース体２の貫通孔２３から内側への突出量が徐々に大きくなり、この貫通孔２３のほぼ中心に位置させた把持対象物の一端部が各把持爪４ａ，４ｂ，４ｃのチャック部４２の把持面４３にてクランプされて芯出しされる。
【００４４】
この状態で、この把持対象物を加工等することによって、この把持対象物を芯出しした状態での加工が可能となる。
【００４５】
＜着想＞
例えば、上記特許文献１等に記載の従来のチャック装置（スクロールチャック）は、チャック本体の底面部に形成した渦巻き状のスクロール歯を用い、このスクロール歯に下爪のラック歯を嵌合させた構成となっている。このため、このラック歯にてスクロール歯を介してチャック本体を周方向に回転させることによって、このチャック本体の上側に取り付けられている複数の各把持爪を径方向に連動して移動させる。
【００４６】
すなわち、上記従来のチャック装置では、チャック本体の底面部の全周に亘って渦巻き状のスクロール歯を形成しなければならず、各把持爪をチャック本体の上側から突出させた構成としなければならない。このため、これら把持爪を上方に突出させる構成から、これら把持爪を含んだチャック装置全体の高さ寸法が大きくなってしまう。よって、機械的強度を確保した状態での薄型化や小型化が容易ではない。
【００４７】
＜作用効果＞
そこで、上記第１の実施の形態のチャック装置１のように、ケース体２の中央部に貫通孔２３を形成し、この貫通孔２３から各把持爪４ａ，４ｂ，４ｃのチャック部４２を内側に突出させた。さらに、これら各把持爪４ａ，４ｂ，４ｃの基端側のボス部４４をチャック本体３の湾曲した円弧状の摺動溝３３ａ，３３ｂ，３３ｃに移動可能に嵌合させ、これら把持爪４ａ，４ｂ，４ｃの本体部４１を上蓋材２１の嵌合溝２５ａ，２５ｂ，２５ｃに嵌合させて径方向にのみ移動可能の構成とした。
【００４８】
この結果、これら各把持爪４ａ，４ｂ，４ｃの移動方向がチャック本体３の径方向に規制される。このため、このチャック本体３を周方向に回転させることによって、このチャック本体３の各摺動溝３３ａ，３３ｂ，３３ｃが回転し、これら各摺動溝３３ａ，３３ｂ，３３ｃに対する各把持爪４ａ，４ｂ，４ｃのボス部４４の嵌合位置が変化する。よって、これら各摺動溝３３ａ，３３ｂ，３３ｃにて各把持爪４ａ，４ｂ，４ｃのボス部４４が押されて径方向に連動して移動し、チャック本体３の内周面からの各把持爪４ａ，４ｂ，４ｃのチャック部４２の突出距離が変化する。
【００４９】
したがって、上記従来のチャック装置に比べ、各把持爪４ａ，４ｂ，４ｃをチャック本体３の上下方向に突出させることなく、これら把持爪４ａ，４ｂ，４ｃのチャック部４２を貫通孔２３内に突出させた状態にできる。またこの状態で、これら各把持爪４ａ，４ｂ，４ｃをチャック本体３に取り付けることができる。このため、これら把持爪４ａ，４ｂ，４ｃを含んだチャック装置１全体の機械的強度を確保した状態での薄型化が可能となる。
【００５０】
ここで、チャック装置１のチャック本体３に設けた各摺動溝３３ａ，３３ｂ，３３ｃを、チャック本体３の外周側から内周側に進むに連れて徐々に曲率が大きくなり、かつチャック本体３の周方向に湾曲した略円弧状とした。この結果、このチャック本体３を回転動作させた際に、各把持爪４ａ，４ｂ，４ｃをより円滑かつ精度良く径方向に移動させることができる。また同時に、チャック本体３の回転距離（回転角度）に比例させて、これら各把持爪４ａ，４ｂ，４ｃを径方向に移動でき、これら各把持爪４ａ，４ｂ，４ｃの貫通孔２３からの突出距離を変化させることができる。よって、これら各把持爪４ａ，４ｂ，４ｃのより精度良い調整作業が可能となる。
【００５１】
さらに、チャック本体３のギア面３２にギア面５１を噛み合わせて操作ギア５を取り付けたことにより、この操作ギア５を回転操作することによって、この操作ギア５の回転に連動してチャック本体３が回転する。このため、チャック本体３の回転操作をより容易に行うことができる。また同時に、操作ギア５をチャック本体３の同一面上に沿わせて並べて取り付けたことにより、ケース体２の上下方向に突出させることなく、操作ギア５をケース体２に取り付けることができる。よって、操作ギア５がチャック装置１全体の薄型化の支障とならず、このチャック装置１全体の小型化が可能となる。
【００５２】
また同時に、操作ギア５を回転駆動させるための、例えばモータ等の駆動機構（図示せず）の出力等を調整することによって、各把持爪４ａ，４ｂ，４ｃにてチャックして芯出しした把持対象物に対する押圧力を調整することができる。よって、より繊細な把持対象物であっても、把持対象物を損傷等させることなく、各把持爪４ａ，４ｂ，４ｃにて精度良く芯出しすることができるとともに、これら把持爪４ａ，４ｂ，４ｃにて芯出しした状態での把持対象物の加工等の次工程が可能となる。
【００５３】
さらに、チャック本体３の各摺動溝３３ａ，３３ｂ，３３ｃの曲率や傾斜角度を調整することによって、操作ギア５を１回転させた場合に、各把持爪４ａ，４ｂ，４ｃの移動距離を、例えば１ｍｍ移動したり、２ｍｍ移動したりするように調整することができる。したがって、チャック本体３の摺動溝３３ａ，３３ｂ，３３ｃの形状を変化させる等によって、各把持爪４ａ，４ｂ，４ｃの移動距離（ストローク）を自由に変化させることができるから、自由度の高いチャック装置１にできる。
【００５４】
＜変形例１＞
次に、本考案の第２の実施の形態のチャック装置１について、図４ないし図６を参照して説明する。
【００５５】
具体的に、このチャック装置１は、図４に示すように、ケース体２の外周部に開口部としての操作開口６が設けられている。そして、この操作開口６によって、チャック本体３の外周面の少なくとも一部が露出されており、この操作開口６を介してチャック本体３が回転操作に構成されている。この操作開口６は、ケース体２の上蓋材２１および下蓋材２２の外周部の約３０°に亘って設けられており、下蓋材２２の嵌合凹部２７を径方向に開口させた形状とされている。さらに、操作開口６は、例えば、図４の正面視右上の位置に設けられており、この操作開口６の嵌合凹部２７の周方向に沿って対向する縁部６１ａ，６１ｂは、平面視円弧状に形成されている。
【００５６】
また、この操作開口６にて露出されたチャック本体３の外周面には、断面凹状の操作凹部３４が設けられている。この操作凹部３４は、操作開口６を介してチャック本体３を周方向に回転操作するための操作部であって、細長略円柱状の操作治具７の先端側の嵌合凸部７１が嵌合可能な形状に形成されている。この操作治具７は、所定の長さを有する把持部となる円柱状の本体部７２の軸方向の一端側をテーパ状に同心状に縮径させて縮径部７３が形成されている。さらに、この縮径部７３の先端部をさらに縮径させて円柱状の嵌合部７４が形成されており、この嵌合部７４をさらに同心状に縮径させて嵌合凸部７１が形成されている。
【００５７】
ここで、この操作治具７の嵌合部７４は、チャック装置１のケース体２の操作開口６の幅寸法より若干小さな外径寸法に形成されているとともに、この操作開口６の径寸法（深さ寸法）より大きな長さ寸法に形成されている。また、この操作治具７の嵌合凸部７１は、チャック本体３の操作凹部３４の内径寸法にほぼ等しい外径寸法であるとともに、この操作凹部３４の軸方向の深さ寸法より若干小さな長さ寸法に形成されている。
【００５８】
一方、各把持爪４ａ，４ｂ，４ｃのチャック部４２は、これら各把持爪４ａ，４ｂ，４ｃの本体部４１に対して取り外し可能に構成されている。よって、これら各把持爪４ａ，４ｂ，４ｃは、チャック装置１にてチャックして芯出しする把持対象物に対応させて交換可能とされている。さらに、この把持対象物の形状、例えば断面六角形状や断面楕円形状等の場合には、この把持対象物にコレット（図示せず）を嵌合させた状態で、このコレットを各把持爪４ａ，４ｂ，４ｃのチャック部４２にてチャックして芯出しする構成とすることもできる。ここで、このコレットは、略円筒状に形成されており、外周面の一部に切り欠きが形成された略円筒状に形成された中間的な保持具である。よって、このコレットは、このコレットに把持対象物を嵌合させた状態で、このコレットをチャック装置１にてチャックして把持対象物の芯出しを可能とさせるものである。
【００５９】
＜作用効果＞
この結果、上記第２の実施の形態のチャック装置１によれば、チャック本体３の外周面の一部が露出するようにケース体２の外周部を開口させて操作開口６が形成されている。このため、この操作開口６を介してチャック本体３を回転操作することができる。特に、チャック本体３の外周面に操作凹部３４が設けられ、この操作凹部３４に嵌合可能な嵌合凸部７１を有する操作治具７が設けられている。この結果、この操作治具７の嵌合凸部７１をチャック本体３の操作凹部３４に嵌合させ、この操作治具７にてチャック本体３を回転操作することができる。よって、チャック本体３を直接回転操作する場合に比べ、より正確にチャック本体３を回転操作することが可能となる。また、チャック本体３の外周面にギア面３２を設けたり、別個の歯車等のギアを用いたりする必要がないため、チャック本体３をより簡単な構成で正確に回転操作することができる。
【００６０】
＜変形例２＞
次に、本考案の第３の実施の形態のチャック装置１について、図７ないし図９を参照して説明する。
【００６１】
具体的に、このチャック装置１は、図７および図８に示すように、ケース体２の各嵌合溝２５ａ，２５ｂ，２５ｃが、このケース体２の外側に向けて貫通させて設けられている。これら嵌合溝２５ａ，２５ｂ，２５ｃは、図８に示すように、貫通孔２３の径方向に沿って設けられており、この貫通孔２３の中心位置を中心とした放射状に形成されている。また、ケース体３の長手方向に沿って嵌合凹部２７に隣接させて取付凹部２８が設けられている。この取付凹部２８は、ケース体２の幅方向の中心位置に設けられている。さらに、ケース体２の上蓋材２１および下蓋材２２のそれぞれに嵌合凹部２７が設けられ、これら上蓋材２１および下蓋材２２の各嵌合凹部２７にチャック本体３が嵌合されて周方向に回転可能に収容されている。
【００６２】
一方、このチャック本体３の摺動溝３３ｄは、図７および図９に示すように、このチャック本体３の外周側から内周側に向けて周方向に傾斜した螺旋状に形成されている。そして、この摺動溝３３ｄは、チャック本体３の同心状に形成されており、等しいピッチでチャック本体３の周方向に向けて連続したスクロール状に形成されたスクロール歯である。
【００６３】
さらに、各把持爪４ａ，４ｂ，４ｃのチャック部４２は、先端部が６０°の傾斜角に形成されている。すなわち、これら把持爪４ａ，４ｂ，４ｃのチャック部４２は、各把持爪４ａ，４ｂ，４ｃのチャック部４２がケース体２の貫通孔２３の中心位置で互いに当接した際に、これらチャック部４２の各面が面接触するように設けられている。
【００６４】
また、これら把持爪４ａ，４ｂ，４ｃの本体部４１の裏面には、円弧状の複数の係合片４５が設けられている。これら係合片４５は、本体部４１の長手方向に向けて等間隔に並べられている。さらに、これら各係合片４５は、チャック本体３の摺動溝３３ｄに沿った等しい曲率の円弧状に形成されており、この摺動溝３３ｄのピッチに等しい間隔を空けて設けられている。よって、これら係合片４５は、把持爪４ａ，４ｂ，４ｃの本体部４１の裏面側がチャック本体３の摺動溝３３ｄに嵌合された状態で、この摺動溝３３ｄに沿って摺動可能となるように設けられている。
【００６５】
＜使用動作＞
チャック装置１の操作ギア５の操作部５２に六角レンチの一端を嵌合させ、この六角レンチにて操作ギア５を、図７の正面視右回りに回転させる。すると、この操作ギア５の回転に伴ってチャック本体３が、図７の正面視左回りに回転し、このチャック本体３の螺旋状の摺動溝３３ｄが周方向に回転していき、この摺動溝３３ｄに対する各把持爪４ａ，４ｂ，４ｃの係合片４５の係合位置が徐々に変化していき、これら把持爪４ａ，４ｂ，４ｃがケース体２の嵌合溝２５ａ，２５ｂ，２５ｃにて案内されて貫通孔２３の径方向に徐々に移動していく。
【００６６】
さらに、操作ギア５を操作してチャック本体３をさらに回転させると、このチャック本体３の摺動溝３３ｄに対する各把持爪４ａ，４ｂ，４ｃの係合片４５の係合位置がさらに径方向に移動していき、これら把持爪４ａ，４ｂ，４ｃの本体部４１がケース体２の嵌合溝２５ａ，２５ｂ，２５ｃよりも外側に突出した状態となる。
【００６７】
＜作用効果＞
この結果、上記第３の実施の形態のチャック装置１によれば、ケース体２の各嵌合溝２５ａ，２５ｂ，２５ｃが、このケース体２の外側に向けて貫通して設けられている。このため、各把持爪４ａ，４ｂ，４ｃがケース体２の外側に突出する位置まで、これら把持爪４ａ，４ｂ，４ｃを移動させることができる。したがって、チャック本体３を回転し続けることによって、各把持爪４ａ，４ｂ，４ｃの本体部４１の基端側がケース体２の嵌合溝２５ａ，２５ｂ，２５ｃより外側に突出する位置まで、これら把持爪４ａ，４ｂ，４ｃを径方向に移動させることができる。よって、これら把持爪４ａ，４ｂ，４ｃの移動距離をより大きくでき、より多種多様な形状の把持対象物であっても各把持爪４ａ，４ｂ，４ｃのチャック部４２にてチャックして芯出しすることができるため、チャック装置１の用途をより多様化できる。
【００６８】
さらに、チャック本体３の摺動溝３３ｄを螺旋状としたことにより、この摺動溝３３ｄをより長くすることが容易にできる。よって、この摺動溝３３ｄとの係合位置の変化で摺動させる各把持爪４ａ，４ｂ，４ｃの移動調整をより正確かつ確実にできるとともに、これら各把持爪４ａ，４ｂ，４ｃの移動距離をより大きく確保することが容易にできるから、チャック装置１の用途をより多様化することができる。
【００６９】
＜その他＞
なお、上記第１の実施の形態では、チャック本体３の各摺動溝３３ａ，３３ｂ，３３ｃを、チャック本体３の外周側から内周側に向けて徐々に曲率が大きくなる略円弧状に形成した。ところが、これら摺動溝３３ａ，３３ｂ，３３ｃの形状については、チャック本体３の外周側から内周側に向けて周方向に傾斜した形状であれば良い。よって、これら摺動溝３３ａ，３３ｂ，３３ｃの形状を、例えば、チャック本体３の外周側から内周側に向けて徐々に曲率が小さくしたり、曲率が変化しない一定の曲率の円弧状としたりすることもできる。このとき、これら各摺動溝３３ａ，３３ｂ，３３ｃの曲率を、チャック本体３の外周側から内周側に向けて徐々に小さくした場合は、このチャック本体３の回転距離（回転角度）に反比例させて各把持爪４ａ，４ｂ，４ｃを径方向に移動させることができる。
【００７０】
また、上記第２の実施の形態では、ケース体２の外周面の一部に操作開口６を形成し、この操作開口６にてチャック本体３の約３０°に亘る外周面の一部を露出させる構成とした。ところが、この操作開口６にてチャック本体３の外周面の少なくとも一部を露出させ、この操作開口６を介してチャック本体３を回転操作して各把持爪４ａ，４ｂ，４ｃを径方向に移動させて把持対象物をチャックして芯出しできる構成であれば良い。すなわち、この操作開口６にて露出されるチャック本体３の外周面の大きさは、いずれの大きさであっても良い。
【符号の説明】
【００７１】
１  チャック装置
２  ケース体
３  チャック本体
４ａ，４ｂ，４ｃ  把持爪
５  操作ギア
６  操作開口（開口部）
７  操作治具
２１  上蓋材
２２  下蓋材
２３  貫通孔
２５ａ，２５ｂ，２５ｃ  嵌合溝
２６ａ，２６ｂ，２６ｃ  内周片部
２７  嵌合凹部
２８  取付凹部
２９  操作孔
３１  開口部
３２  ギア面
３３ａ，３３ｂ，３３ｃ，３３ｄ  摺動溝
３４  操作凹部（操作部）
４１  本体部
４２  チャック部
４３  把持面
４４  ボス部
４５  係合片
５１  ギア面
５２  操作部
６１ａ，６１ｂ  縁部
７１  嵌合凸部
７２  本体部
７３  縮径部
７４  嵌合部
【図１】
0003170039.tif 000003
【図２】
0003170039.tif 000004
【図３】
0003170039.tif 000005
【図４】
0003170039.tif 000006
【図５】
0003170039.tif 000007
【図６】
0003170039.tif 000008
【図７】
0003170039.tif 000009
【図８】
0003170039.tif 000010
【図９】
0003170039.tif 000011